【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行う抽選手段と、
該抽選手段による前記抽選の結果に応じて遊技の進行を制御する遊技制御手段と、
前記遊技が行われる遊技領域と、
該遊技領域を遊技者側から視認可能にする遊技窓部を備えた枠体と、を備える遊技機であって、
前記枠体は、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
それぞれ別の系統に分けられる前記複数の周発光部のうち二以上の前記周発光部を同一基板上に設け、
前記複数の周発光部は、少なくとも発光手段を所定個数備える第１周発光部と、備えられている前記発光手段の個数が前記第１周発光部とは異なる第２周発光部と、を含み、
前記周発光手段は、前記分割発光手段とは異なる発光態様で発光可能な特定発光部によって複数の発光群に分けられており、
前記分割発光手段の周方向の長さよりも前記周発光部の周方向の長さを長く設定した
ことを特徴とする遊技機。
【手続補正２】
【補正対象書類名】明細書
【補正対象項目名】０００１
【補正方法】変更
【補正の内容】
【０００１】
本発明は、遊技機に関するものである。
【手続補正３】
【補正対象書類名】明細書
【補正対象項目名】０００２
【補正方法】変更
【補正の内容】
【０００２】
従来、可変表示装置の表示結果が特定の識別情報となった場合に、大当りとする可変表示装置を備えた遊技機が知られている（例えば、特許文献１）。
【手続補正４】
【補正対象書類名】明細書
【補正対象項目名】０００３
【補正方法】変更
【補正の内容】
【０００３】
この種の遊技機では、遊技領域の前面を閉鎖し開閉可能に支持された扉枠を備えており、扉枠に形成された遊技窓を介して遊技者側から遊技領域が視認できるようになっていると共に、遊技窓の前面外周にＬＥＤ等の発光手段によって発光装飾可能な装飾体が備えられている。
【手続補正５】
【補正対象書類名】明細書
【補正対象項目名】０００４
【補正方法】変更
【補正の内容】
【０００４】
【特許文献１】特開２００３−１８０９６５号公報
【手続補正６】
【補正対象書類名】明細書
【補正対象項目名】０００５
【補正方法】変更
【補正の内容】
【０００５】
ところが、従来の遊技機では、発光装飾によって遊技者に与えられるインパクトが一過性のものとなり易く、遊技者によっては早期に見慣れてしまい、装飾体による発光装飾を楽しめなくなったり、他の遊技機へ関心が移り易くなってしまったりして、遊技に対する興趣が低下するおそれがあった。
【手続補正７】
【補正対象書類名】明細書
【補正対象項目名】０００６
【補正方法】変更
【補正の内容】
【０００６】
本発明は、このような事情に鑑みてなされたものであり、その目的とするところは、遊技興趣の低下を抑止することができる遊技機を提供することにある。
【手続補正８】
【補正対象書類名】明細書
【補正対象項目名】０００８
【補正方法】変更
【補正の内容】
【０００８】
請求項１に記載の発明は、所定条件の成立に基づいて抽選を行う抽選手段と、
該抽選手段による前記抽選の結果に応じて遊技の進行を制御する遊技制御手段と、
前記遊技が行われる遊技領域と、
該遊技領域を遊技者側から視認可能にする遊技窓部を備えた枠体と、を備える遊技機であって、
前記枠体は、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
それぞれ別の系統に分けられる前記複数の周発光部のうち二以上の前記周発光部を同一基板上に設け、
前記複数の周発光部は、少なくとも発光手段を所定個数備える第１周発光部と、備えられている前記発光手段の個数が前記第１周発光部とは異なる第２周発光部と、を含み、
前記周発光手段は、前記分割発光手段とは異なる発光態様で発光可能な特定発光部によって複数の発光群に分けられており、
前記分割発光手段の周方向の長さよりも前記周発光部の周方向の長さを長く設定したことを特徴とする。
また、本発明とは別の発明として以下の手段を例示する。
（解決手段１）
遊技の進行を制御するとともに、該遊技の進行による遊技情報を記憶する遊技記憶手段を備える主制御基板と、該主制御基板からのコマンドに基づいて表示制御部を制御して演出表示装置に画面を表示することにより演出の進行を制御するとともに、該演出の進行による演出情報を記憶する演出記憶手段を備える演出制御基板と、を備える遊技機であって、前記遊技機は、さらに、当該遊技機への電力の停電又は瞬停の兆候を監視するとともに、該電力の停電又は瞬停の兆候を検出すると、停電予告として停電予告信号を出力する停電監視部を備え、前記主制御基板は、さらに、復電時における起動復帰制御を実行する主制御側復電時起動復帰制御手段と、前記停電監視部からの前記停電予告信号が入力されたことに基づいて電源断時制御を実行する主制御側電源断時制御手段と、を備え、前記主制御側電源断時制御手段は、少なくとも、前記遊技記憶手段に記憶されている前記遊技情報を遊技バックアップ情報として記憶保持する遊技バックアップ情報記憶保持制御手段を含み、前記主制御側復電時起動復帰制御手段は、少なくとも、前記遊技バックアップ情報記憶保持制御手段が前記遊技記憶手段に記憶保持した前記遊技バックアップ情報に基づいて前記停電予告信号が入力される前の遊技に復帰するか否かを判定する遊技復帰判定制御手段と、該遊技復帰判定制御手段が前記停電予告信号が入力される前の遊技に復帰すると判定したときに前記遊技バックアップ情報記憶保持制御手段が前記遊技記憶手段に記憶保持した前記遊技バックアップ情報に基づいて復帰する遊技復帰制御手段と、前記遊技復帰判定制御手段が前記停電予告信号が入力される前の遊技に復帰しないと判定したときに前記遊技記憶手段に記憶される前記遊技バックアップ情報を初期化して該初期化した情報に基づいて起動する遊技初期化起動制御手段と、を含み、前記演出記憶手段は、少なくとも、前記演出の進行による前記演出情報を記憶するワークエリアと、該ワークエリアに記憶される前記演出情報を演出バックアップ情報として記憶保持するバックアップエリアと、を備え、前記バックアップエリアは、第１のバックアップエリアと第２のバックアップエリアとを有し、前記演出制御基板は、さらに、前記演出記憶手段に備える前記ワークエリアに記憶される前記演出情報を前記演出バックアップ情報として当該演出記憶手段に備える前記バックアップエリアに転送するダイレクトメモリアクセス制御手段と、復電時における起動復帰制御を実行する演出制御側復電時起動復帰制御手段と、前記表示制御部を制御して当該表示制御部から前記演出表示装置に表示する１画面分の制御情報を当該演出表示装置に出力するごとに、これを契機として、当該表示制御部から前記１画面分の制御情報を受け入れることができる状態である旨を伝える受入許可信号が入力されたことに基づいて予め定めた周期が発生し、該予め定めた周期が発生するごとに定期割り込み制御を実行する演出制御側定期割り込み制御実行制御手段と、を備え、前記演出制御側定期割り込み制御実行制御手段は、少なくとも、前記ダイレクトメモリアクセス制御手段を制御して前記演出記憶手段に備える前記ワークエリアに記憶されている前記演出情報を前記演出バックアップ情報として当該演出記憶手段に備える前記バックアップエリアに転送するときには当該バックアップエリアにおける前記第１のバックアップエリアと前記第２のバックアップエリアとに同一の当該演出バックアップ情報をそれぞれ転送することにより当該演出バックアップ情報を当該バックアップエリアに記憶保持する演出バックアップ情報記憶保持制御手段を含み、前記演出制御側復電時起動復帰制御手段は、少なくとも、前記演出バックアップ情報記憶保持制御手段が前記演出記憶手段に備える前記バックアップエリアにおける前記第１のバックアップエリアと前記第２のバックアップエリアとにそれぞれ記憶保持した前記演出バックアップ情報が一致しているか否かに基づいて前記停電予告信号が入力される前の演出に復帰するか否かを判定する演出復帰判定制御手段と、該演出復帰判定制御手段が前記演出記憶手段に備える前記バックアップエリアにおける前記第１のバックアップエリアと前記第２のバックアップエリアとにそれぞれ記憶保持した前記演出バックアップ情報が一致していると判定して前記停電予告信号が入力される前の演出に復帰すると判定したときに当該演出バックアップ情報に基づいて復帰する演出復帰制御手段と、前記演出復帰判定制御手段が前記演出記憶手段に備える前記バックアップエリアにおける前記第１のバックアップエリアと前記第２のバックアップエリアとにそれぞれ記憶保持した前記演出バックアップ情報が一致していないと判定して前記停電予告信号が入力される前の演出に復帰しないと判定したときに当該第１のバックアップエリアと当該第２のバックアップエリアとにそれぞれ記憶される当該演出バックアップ情報を初期化して該初期化した情報に基づいて起動する演出初期化起動制御手段と、を含み、前記主制御基板は、前記停電監視部からの前記停電予告信号が入力されたことに基づいて、前記主制御側電源断時制御手段における前記遊技バックアップ情報記憶保持制御手段において、前記遊技記憶手段に記憶されている前記遊技情報を前記遊技バックアップ情報として記憶保持するのに対して、前記演出制御基板は、前記表示制御部からの前記受入許可信号が入力されたことに基づいて前記予め定めた周期が発生し、当該予め定めた周期が発生するごとに、前記演出制御側定期割り込み制御実行制御手段における前記演出バックアップ情報記憶保持制御手段において、前記演出記憶手段に備える前記ワークエリアに記憶されている前記演出情報を前記演出バックアップ情報として当該演出記憶手段に備える前記バックアップエリアにおける前記第１のバックアップエリアと前記第２のバックアップエリアとに同一の当該演出バックアップ情報をそれぞれ転送することにより当該演出バックアップ情報を当該バックアップエリアに記憶保持することを特徴とする遊技機。
【手続補正９】
【補正対象書類名】明細書
【補正対象項目名】００２０
【補正方法】変更
【補正の内容】
【００２０】
本発明の遊技機においては、遊技興趣の低下を抑止することができる。